【手続補正書】
【提出日】平成19年4月19日(2007.4.19)
【手続補正１】
【補正対象書類名】明細書
【補正対象項目名】特許請求の範囲
【補正方法】変更
【補正の内容】
【特許請求の範囲】
【請求項１】  同一長の複数のパケットからなるディジタルビットストリームをデータブロックに変換し、複数の完全なパケットと一部データのみの不完全なパケットとを配置することが可能な主データ部と、前記主データ部の完全なパケット各々の付帯データ及び１つの不完全なパケットの付帯データを収納する付帯データ部とを、各々前記データブロック内の異なる位置に少なくとも形成するブロック化方法であって、
前記主データ部の終了部分に１パケットに満たない空き領域が生じた場合に次のパケットの一部データをその空き領域に収納し、前記次のパケットの付帯データを前記１つの不完全なパケットの付帯データとして前記付帯データ部に収納し、前記次のパケットの一部データの残りデータを次のデータブロックの主データ部の開始部分に収納し、
前記主データ部の終了部分に前記空き領域が生じない場合に前記１つの不完全なパケットの付帯データが無効であることを示す付帯データ無効情報を前記データブロック内の前記主データ部以外に備えることを特徴とするブロック化方法。
【請求項２】  前記付帯データ無効情報は前記データブロック内の前記主データ部及び前記付帯データ部以外に配置されるフラグであることを特徴とする請求項１記載のブロック化方法。
【請求項３】  前記付帯データ無効情報は前記データブロック内の前記付帯データ部内に配置されるフラグであることを特徴とする請求項１記載のブロック化方法。
【請求項４】  同一長の複数のパケットからなるディジタルビットストリームをデータブロックに変換し、複数の完全なパケットと一部データのみの不完全なパケットとを配置することが可能な主データ部と、前記主データ部の完全なパケット各々の付帯データを収納する付帯データ部とを、各々前記データブロック内の異なる位置に少なくとも形成するブロック化方法であって、
前記主データ部の終了部分に１パケットより小さくかつ付帯データの大きさより大きい空き領域が生じた場合に次のパケットの一部データをその空き領域に収納し、前記次のパケットの付帯データを前記１つの不完全なパケットの付帯データとして前記付帯データ部に前記完全なパケット各々の付帯データと共に収納し、前記次のパケットの一部データの残りデータを次のデータブロックの主データ部の開始部分に収納し、
前記主データ部の終了部分に付帯データの大きさより小さい空き領域が生じた場合に前記主データ部の終了部分に不完全なパケットがないことを示す情報を前記データブロック内の前記主データ部及び前記付帯データ部以外に備えることを特徴とするブロック化方法。
【請求項５】  前記主データ部の終了部分の付帯データの大きさより小さい空き領域には各ビットが０を示すパディングデータを挿入することを特徴とする請求項４記載のブロック化方法。
【請求項６】  同一長の複数のパケットからなるディジタルビットストリームをデータブロックに変換し、複数の完全なパケットと一部データのみの不完全なパケットとを配置することが可能な主データ部と、前記主データ部の完全なパケット各々の付帯データ及び１つの不完全なパケットの付帯データを収納する付帯データ部とを、各々前記データブロック内の異なる位置に少なくとも形成するブロック化装置であって、
前記主データ部の終了部分に１パケットに満たない空き領域が生じるか否かを判別する判別手段と、
前記主データ部の終了部分に１パケットに満たない空き領域が生じた場合に次のパケットの一部データをその空き領域に収納し、前記次のパケットの付帯データを前記１つの不完全なパケットの付帯データとして前記付帯データ部に収納し、前記次のパケットの一部データの残りデータを次のデータブロックの主データ部の開始部分に収納するブロック処理手段と、を備え、
前記ブロック処理手段は、前記主データ部の終了部分に前記空き領域が生じない場合に前記１つの不完全なパケットの付帯データが無効であることを示す付帯データ無効情報を前記データブロック内の前記主データ部以外に収納することを特徴とするブロック化装置。
【請求項７】  前記付帯データ無効情報は、前記データブロック内の前記主データ部及び前記付帯データ部以外の部分に配置されたフラグであることを特徴とする請求項６記載のブロック化装置。
【請求項８】  前記付帯データ無効情報は、前記データブロック内の前記付帯データ部に配置されたフラグであることを特徴とする請求項６記載のブロック化装置。
【請求項９】  同一長の複数のパケットからなるディジタルビットストリームをデータブロックに変換し、複数の完全なパケットと一部データのみの不完全なパケットとを配置することが可能な主データ部と、前記主データ部の完全なパケット各々の付帯データを収納する付帯データ部とを、各々前記データブロック内の異なる位置に少なくとも形成するブロック化装置であって、
前記主データ部の終了部分に１パケットにより小さくかつ付帯データの大きさより大きい空き領域が生じるか否かを判別する手段と、
前記主データ部の終了部分に１パケットより小さくかつ付帯データの大きさより大きい空き領域が生じた場合に次のパケットの一部データをその空き領域に収納し、前記次のパケットの付帯データを前記１つの不完全なパケットの付帯データとして前記付帯データ部に前記完全なパケット各々の付帯データと共に収納し、前記次のパケットの一部データの残りデータを次のデータブロックの主データ部の開始部分に収納するブロック化処理手段と、を備え、
前記ブロック化処理手段は、前記主データ部の終了部分に付帯データの大きさより小さい空き領域が生じた場合に前記主データ部の終了部分に不完全なパケットがないことを示す情報を前記データブロック内の前記主データ部及び前記付帯データ部以外に収納することを特徴とするブロック化装置。
【請求項１０】  各ビットが０を示すパディングデータが、前記主データ部の終了部分に付帯データの大きさより小さい空き領域に挿入されていることを特徴とする請求項９記載のブロック化装置。
【請求項１１】  複数のパケットからなるディジタルビットストリームを、複数の完全なパケットと一部データのみの不完全なパケットとを有する主データ部と、前記主データ部とは異なる位置に配置され前記主データ部の完全なパケット各々の付帯データ及び１つの不完全なパケットの付帯データを有する付帯データ部と、を少なくとも含むデータブロックに変換するブロック化方法であって、
前記主データ部の終了部分に１パケットに満たない空き領域が生じた場合には次のパケットの一部データをその空き領域に収納し、前記次のパケットの付帯データを前記１つの不完全なパケットの付帯データとして前記付帯データ部に収納し、前記次のパケットの一部データの残りデータを次のデータブロックの主データ部の開始部分に収納し、
前記付帯データが無効であるか否かを示す付帯データ無効情報を前記データブロック内の前記主データ部以外の部分に収納することを特徴とするブロック化方法。
【請求項１２】  前記付帯データ無効情報は、不完全なパケットが前記主データ部の終了部分に収納されるか否かに応じて決定される情報であることを特徴とする請求項１１記載のブロック化方法。
【請求項１３】  前記付帯データ無効情報は、前記データブロック内において前記主データ部及び付帯データ部より早く読み取られる位置に配置されることを特徴とする請求項１１記載のブロック化方法。
【請求項１４】  前記付帯データ無効情報は、パケットのランダムアクセス情報であることを特徴とする請求項１１記載のブロック化方法。
【請求項１５】  複数のパケットからなるディジタルビットストリームを、複数の完全なパケットと一部データのみの不完全なパケットとを有する主データ部と、前記主データ部とは異なる位置に配置され前記主データ部の完全なパケット各々の付帯データ及び１つの不完全なパケットの付帯データを有する付帯データ部と、を少なくとも含むデータブロックに変換するブロック化装置であって、
前記主データ部の終了部分に１パケットに満たない空き領域が生じるか否かを判別する判別手段と、
前記主データ部の終了部分に１パケットに満たない空き領域が生じた場合に次のパケットの一部データをその空き領域に収納し、前記次のパケットの付帯データを前記１つの不完全なパケットの付帯データとして前記付帯データ部に収納し、前記次のパケットの一部データの残りデータを次のデータブロックの主データ部の開始部分に収納するブロック処理手段と、を備え、
前記ブロック処理手段は、付帯データが無効であるか否かを示す付帯データ無効情報を前記データブロック内の前記主データ部以外の部分に収納することを特徴とするブロック化装置。
【請求項１６】  前記付帯データ無効情報は、不完全なパケットが前記主データ部の終了部分に収納されるか否かに応じて決定される情報であることを特徴とする請求項１５記載のブロック化方法。
【請求項１７】  前記付帯データ無効情報は、前記データブロック内において前記主データ部及び付帯データ部より早く読み取られる位置に配置されることを特徴とする請求項１５記載のブロック化方法。
【請求項１８】  前記付帯データ無効情報は、パケットのランダムアクセス情報であることを特徴とする請求項１５記載のブロック化方法。
【請求項１９】  複数のパケットからなるディジタルビットストリームであって、複数の完全なパケットと一部データのみの不完全なパケットとを有する主データ部と、前記主データ部とは異なる位置に配置され前記主データ部の完全なパケット各々の付帯データ及び１つの不完全なパケットの付帯データを有する付帯データ部と、を少なくとも含むデータブロックに変換されたディジタルビットストリームが記録された情報記録媒体であって、
前記主データ部の終了部分に１パケットに満たない空き領域が生じた場合には、次のパケットの一部データをその空き領域に収納し、前記次のパケットの付帯データを前記１つの不完全なパケットの付帯データとして前記付帯データ部に収納し、前記次のパケットの一部データの残りデータを次のデータブロックの主データ部の開始部分に収納し、
付帯データが無効であるか否かを示す付帯データ無効情報を前記データブロック内の前記主データ部以外の部分に収納することを特徴とする情報記録媒体。
【請求項２０】  前記付帯データ無効情報は、不完全なパケットが前記主データ部の終了部分に収納されるか否かに応じて決定される情報であることを特徴とする請求項１９記載の情報記録媒体。
【請求項２１】  前記付帯データ無効情報は、前記データブロック内において前記主データ部及び付帯データ部より早く読み取られる位置に配置されることを特徴とする請求項１９記載の情報記録媒体。
【請求項２２】  前記付帯データ無効情報は、パケットのランダムアクセス情報であることを特徴とする請求項１９記載の情報記録媒体。
【請求項２３】  複数のパケットからなるディジタルビットストリームであって、複数の完全なパケットと一部データのみの不完全なパケットとを有する主データ部と、前記主データ部とは異なる位置に配置され前記主データ部の完全なパケット各々の付帯データ及び１つの不完全なパケットの付帯データを有する付帯データ部と、を少なくとも含むデータブロックに変換されたディジタルビットストリームを保持し、
前記主データ部の終了部分に１パケットに満たない空き領域が生じた場合には、次のパケットの一部データをその空き領域に収納し、前記次のパケットの付帯データを前記１つの不完全なパケットの付帯データとして前記付帯データ部に収納し、前記次のパケットの一部データの残りデータを次のデータブロックの主データ部の開始部分に収納し、
付帯データが無効であるか否かを示す付帯データ無効情報を前記データブロック内の前記主データ部以外の部分に収納する情報記録媒体を再生する再生装置であって、
前記データブロック内の前記付帯データ無効情報を読み取る読取手段と、
前記読取手段によって読み取られた前記付帯データ無効情報に応じて前記データブロック内の前記パケットを再生する再生手段と、を備えたことを特徴とする情報記録媒体再生装置。
【請求項２４】  前記付帯データ無効情報は、不完全なパケットが前記主データ部の終了部分に収納されるか否かに応じて決定される情報であることを特徴とする請求項２３記載の情報記録媒体再生装置。
【請求項２５】  前記付帯データ無効情報は、前記データブロック内において前記主データ部及び付帯データ部より早く読み取られる位置に配置されることを特徴とする請求項２３記載の情報記録媒体再生装置。
【請求項２６】  前記付帯データ無効情報は、パケットのランダムアクセス情報であることを特徴とする請求項２３記載の情報記録媒体再生装置。
【請求項２７】  複数のパケットからなるディジタルビットストリームであって、複数の完全なパケットと一部データのみの不完全なパケットとを有する主データ部と、前記主データ部とは異なる位置に配置され前記主データ部の完全なパケット各々の付帯データ及び１つの不完全なパケットの付帯データを有する付帯データ部と、を少なくとも含むデータブロックに変換されたディジタルビットストリームを保持し、
前記主データ部の終了部分に１パケットに満たない空き領域が生じた場合には、次のパケットの一部データをその空き領域に収納し、前記次のパケットの付帯データを前記１つの不完全なパケットの付帯データとして前記付帯データ部に収納し、前記次のパケットの一部データの残りデータを次のデータブロックの主データ部の開始部分に収納し、
付帯データが無効であるか否かを示す付帯データ無効情報を前記データブロック内の前記主データ部以外の部分に収納する情報記録媒体を再生する再生方法であって、
前記データブロック内の前記付帯データ無効情報を読み取る読取ステップと、
前記読取ステップにおいて読み取られた前記付帯データ無効情報に応じて前記データブロック内の前記パケットを再生する再生ステップと、を備えたことを特徴とする情報記録媒体再生方法。
【請求項２８】  前記付帯データ無効情報は、不完全なパケットが前記主データ部の終了部分に収納されるか否かに応じて決定される情報であることを特徴とする請求項２７記載の情報記録媒体再生方法。
【請求項２９】  前記付帯データ無効情報は、前記データブロック内において前記主データ部及び付帯データ部より早く読み取られる位置に配置されることを特徴とする請求項２７記載の情報記録媒体再生方法。
【請求項３０】  前記付帯データ無効情報は、パケットのランダムアクセス情報であることを特徴とする請求項２７記載の情報記録媒体再生方法。
【手続補正２】
【補正対象書類名】明細書
【補正対象項目名】００１７
【補正方法】変更
【補正の内容】
【００１７】
【課題を解決するための手段】
本発明のディジタルビットストリームのブロック化方法は、同一長の複数のパケットからなるディジタルビットストリームをデータブロックに変換し、複数の完全なパケットと一部データのみの不完全なパケットとを配置することが可能な主データ部と、主データ部の完全なパケット各々の付帯データ及び１つの不完全なパケットの付帯データを収納する付帯データ部とを、各々データブロック内の異なる位置に少なくとも形成するブロック化方法であって、主データ部の終了部分に１パケットに満たない空き領域が生じた場合に次のパケットの一部データをその空き領域に収納し、次のパケットの付帯データを１つの不完全なパケットの付帯データとして付帯データ部に収納し、次のパケットの一部データの残りデータを次のデータブロックの主データ部の開始部分に収納し、主データ部の終了部分に空き領域が生じない場合に１つの不完全なパケットの付帯データが無効であることを示す付帯データ無効情報をデータブロック内の主データ部以外に備えることを特徴としている。
【手続補正３】
【補正対象書類名】明細書
【補正対象項目名】００１８
【補正方法】変更
【補正の内容】
【００１８】
本発明のディジタルビットストリームのブロック化方法は、同一長の複数のパケットからなるディジタルビットストリームをデータブロックに変換し、複数の完全なパケットと一部データのみの不完全なパケットとを配置することが可能な主データ部と、主データ部の完全なパケット各々の付帯データを収納する付帯データ部とを、各々データブロック内の異なる位置に少なくとも形成するブロック化方法であって、主データ部の終了部分に１パケットより小さくかつ付帯データの大きさより大きい空き領域が生じた場合に次のパケットの一部データをその空き領域に収納し、次のパケットの付帯データを１つの不完全なパケットの付帯データとして付帯データ部に完全なパケット各々の付帯データと共に収納し、次のパケットの一部データの残りデータを次のデータブロックの主データ部の開始部分に収納し、主データ部の終了部分に付帯データの大きさより小さい空き領域が生じた場合に主データ部の終了部分に不完全なパケットがないことを示す情報をデータブロック内の主データ部及び付帯データ部以外に備えることを特徴としている。
【手続補正４】
【補正対象書類名】明細書
【補正対象項目名】００１９
【補正方法】変更
【補正の内容】
【００１９】
本発明のブロック化装置は、同一長の複数のパケットからなるディジタルビットストリームをデータブロックに変換し、複数の完全なパケットと一部データのみの不完全なパケットとを配置することが可能な主データ部と、主データ部の完全なパケット各々の付帯データ及び１つの不完全なパケットの付帯データを収納する付帯データ部とを、各々データブロック内の異なる位置に少なくとも形成するブロック化装置であって、主データ部の終了部分に１パケットに満たない空き領域が生じるか否かを判別する判別手段と、主データ部の終了部分に１パケットに満たない空き領域が生じた場合に次のパケットの一部データをその空き領域に収納し、次のパケットの付帯データを１つの不完全なパケットの付帯データとして付帯データ部に収納し、次のパケットの一部データの残りデータを次のデータブロックの主データ部の開始部分に収納するブロック処理手段と、を有し、ブロック処理手段は、主データ部の終了部分に空き領域が生じない場合に１つの不完全なパケットの付帯データが無効であることを示す付帯データ無効情報をデータブロック内の主データ部以外に収納することを特徴としている。
【手続補正５】
【補正対象書類名】明細書
【補正対象項目名】００２０
【補正方法】変更
【補正の内容】
【００２０】
本発明のブロック化装置は、同一長の複数のパケットからなるディジタルビットストリームをデータブロックに変換し、複数の完全なパケットと一部データのみの不完全なパケットとを配置することが可能な主データ部と、主データ部の完全なパケット各々の付帯データを収納する付帯データ部とを、各々データブロック内の異なる位置に少なくとも形成するブロック化装置であって、主データ部の終了部分に１パケットにより小さくかつ付帯データの大きさより大きい空き領域が生じるか否かを判別する手段と、主データ部の終了部分に１パケットより小さくかつ付帯データの大きさより大きい空き領域が生じた場合に次のパケットの一部データをその空き領域に収納し、次のパケットの付帯データを１つの不完全なパケットの付帯データとして付帯データ部に完全なパケット各々の付帯データと共に収納し、次のパケットの一部データの残りデータを次のデータブロックの主データ部の開始部分に収納するブロック化処理手段と、を備え、ブロック化処理手段は、主データ部の終了部分に付帯データの大きさより小さい空き領域が生じた場合に主データ部の終了部分に不完全なパケットがないことを示す情報をデータブロック内の主データ部及び付帯データ部以外に収納することを特徴としている。
本発明のブロック化方法は、複数のパケットからなるディジタルビットストリームを、複数の完全なパケットと一部データのみの不完全なパケットとを有する主データ部と、主データ部とは異なる位置に配置され主データ部の完全なパケット各々の付帯データ及び１つの不完全なパケットの付帯データを有する付帯データ部と、を少なくとも含むデータブロックに変換するブロック化方法であって、主データ部の終了部分に１パケットに満たない空き領域が生じた場合には次のパケットの一部データをその空き領域に収納し、次のパケットの付帯データを１つの不完全なパケットの付帯データとして付帯データ部に収納し、次のパケットの一部データの残りデータを次のデータブロックの主データ部の開始部分に収納し、付帯データが無効であるか否かを示す付帯データ無効情報をデータブロック内の主データ部以外の部分に収納することを特徴としている。
本発明のブロック化装置は、複数のパケットからなるディジタルビットストリームを、複数の完全なパケットと一部データのみの不完全なパケットとを有する主データ部と、主データ部とは異なる位置に配置され主データ部の完全なパケット各々の付帯データ及び１つの不完全なパケットの付帯データを有する付帯データ部と、を少なくとも含むデータブロックに変換するブロック化装置であって、主データ部の終了部分に１パケットに満たない空き領域が生じるか否かを判別する判別手段と、主データ部の終了部分に１パケットに満たない空き領域が生じた場合に次のパケットの一部データをその空き領域に収納し、次のパケットの付帯データを１つの不完全なパケットの付帯データとして付帯データ部に収納し、次のパケットの一部データの残りデータを次のデータブロックの主データ部の開始部分に収納するブロック処理手段と、を備え、ブロック処理手段は、付帯データが無効であるか否かを示す付帯データ無効情報をデータブロック内の主データ部以外の部分に収納することを特徴としている。
本発明の情報記録媒体は、複数のパケットからなるディジタルビットストリームであって、複数の完全なパケットと一部データのみの不完全なパケットとを有する主データ部と、主データ部とは異なる位置に配置され主データ部の完全なパケット各々の付帯データ及び１つの不完全なパケットの付帯データを有する付帯データ部と、を少なくとも含むデータブロックに変換されたディジタルビットストリームが記録された情報記録媒体であって、主データ部の終了部分に１パケットに満たない空き領域が生じた場合には、次のパケットの一部データをその空き領域に収納し、次のパケットの付帯データを１つの不完全なパケットの付帯データとして付帯データ部に収納し、次のパケットの一部データの残りデータを次のデータブロックの主データ部の開始部分に収納し、付帯データが無効であるか否かを示す付帯データ無効情報をデータブロック内の主データ部以外の部分に収納することを特徴としている。
本発明の情報記録媒体再生装置は、複数のパケットからなるディジタルビットストリームであって、複数の完全なパケットと一部データのみの不完全なパケットとを有する主データ部と、主データ部とは異なる位置に配置され主データ部の完全なパケット各々の付帯データ及び１つの不完全なパケットの付帯データを有する付帯データ部と、を少なくとも含むデータブロックに変換されたディジタルビットストリームを保持し、主データ部の終了部分に１パケットに満たない空き領域が生じた場合には、次のパケットの一部データをその空き領域に収納し、次のパケットの付帯データを１つの不完全なパケットの付帯データとして付帯データ部に収納し、次のパケットの一部データの残りデータを次のデータブロックの主データ部の開始部分に収納し、付帯データが無効であるか否かを示す付帯データ無効情報をデータブロック内の主データ部以外の部分に収納する情報記録媒体を再生する再生装置であって、データブロック内の付帯データ無効情報を読み取る読取手段と、読取手段によって読み取られた付帯データ無効情報に応じてデータブロック内のパケットを再生する再生手段と、を備えたことを特徴としている。
本発明の情報記録媒体再生方法は、複数のパケットからなるディジタルビットストリームであって、複数の完全なパケットと一部データのみの不完全なパケットとを有する主データ部と、主データ部とは異なる位置に配置され主データ部の完全なパケット各々の付帯データ及び１つの不完全なパケットの付帯データを有する付帯データ部と、を少なくとも含むデータブロックに変換されたディジタルビットストリームを保持し、主データ部の終了部分に１パケットに満たない空き領域が生じた場合には、次のパケットの一部データをその空き領域に収納し、次のパケットの付帯データを１つの不完全なパケットの付帯データとして付帯データ部に収納し、次のパケットの一部データの残りデータを次のデータブロックの主データ部の開始部分に収納し、付帯データが無効であるか否かを示す付帯データ無効情報をデータブロック内の主データ部以外の部分に収納する情報記録媒体を再生する再生方法であって、データブロック内の付帯データ無効情報を読み取る読取ステップと、読取ステップにおいて読み取られた付帯データ無効情報に応じてデータブロック内のパケットを再生する再生ステップと、を備えたことを特徴としている。